(57)【要約】【課題】表示装置により表示されたコンテンツデータのプレビュー画像を表示させることを目的としている。【解決手段】表示装置と、前記表示装置と通信可能な情報端末と、を含む表示システムであって、前記情報端末は、前記表示装置における表示可能領域の横の長さと縦の長さの比率を示す比率情報を取得する取得部と、コンテンツデータの識別情報の一覧が表示された表示領域において前記識別情報の選択を受け付ける受付部と、選択された前記識別情報と対応するコンテンツデータを、横の長さと縦の長さの比率が前記比率情報と一致する表示領域内に表示させるプレビュー処理部と、を有する。【選択図】図５
2015127849.tif 000002
【特許請求の範囲】
【請求項１】
表示装置と、前記表示装置と通信可能な情報端末と、を含む表示システムであって、
前記情報端末は、
前記表示装置における表示可能領域の横の長さと縦の長さの比率を示す比率情報を取得する取得部と、
コンテンツデータの識別情報の一覧が表示された表示領域において前記識別情報の選択を受け付ける受付部と、
選択された前記識別情報と対応するコンテンツデータを、横の長さと縦の長さの比率が前記比率情報と一致する表示領域内に表示させるプレビュー処理部と、を有することを特徴とする表示システム。
【請求項２】
表示装置と、プログラムと、を含む表示システムであって、
前記プログラムは、前記表示装置と通信可能な情報端末に、
前記表示装置における表示可能領域の横の長さと縦の長さの比率を示す比率情報を取得する取得手順と、
コンテンツデータの識別情報の一覧が表示された表示領域において前記識別情報の選択を受け付ける受付手順と、
選択された前記識別情報と対応するコンテンツデータを、横の長さと縦の長さの比率が前記比率情報と一致する表示領域内に表示させるプレビュー処理手順と、を実行させることを特徴とする表示システム。
【請求項３】
表示装置と通信可能な情報端末であって、
前記表示装置における表示可能領域の横の長さと縦の長さの比率を示す比率情報を取得する取得部と、
コンテンツデータの識別情報の一覧が表示された表示領域において前記識別情報の選択を受け付ける受付部と、
選択された前記識別情報と対応するコンテンツデータを、横の長さと縦の長さの比率が前記比率情報と一致する表示領域内に表示させるプレビュー処理部と、を有することを特徴とする情報端末。
【請求項４】
表示装置と通信可能な情報端末において実行される表示制御プログラムであって、
前記情報端末に、
前記表示装置における表示可能領域の横の長さと縦の長さの比率を示す比率情報を取得する取得手順と、
コンテンツデータの識別情報の一覧が表示された表示領域において前記識別情報の選択を受け付ける受付手順と、
選択された前記識別情報と対応するコンテンツデータを、横の長さと縦の長さの比率が前記比率情報と一致する表示領域内に表示させるプレビュー処理手順と、を実行させることを特徴とする表示制御プログラム。
【請求項５】
前記プレビュー処理手順は、
前記情報端末の画面のサイズを示す第一サイズ情報を取得し、
前記第一サイズ情報と前記比率情報とに基づき前記表示領域を表示させる表示手順を実行させることを特徴とする請求項４記載の表示制御プログラム。
【請求項６】
前記プレビュー処理手順は、
前記表示領域のサイズを示す第二サイズ情報に基づき、前記識別情報と対応するコンテンツデータのサイズを変更する変更手順を実行させることを特徴とする請求項５記載の表示制御プログラム。
【請求項７】
前記変更手順において、前記識別情報と対応するコンテンツデータを縮小することを特徴とする請求項６記載の表示制御プログラム。
【請求項８】
表示装置と通信可能な情報端末による表示制御方法であって、
前記表示装置における表示可能領域の横の長さと縦の長さの比率を示す比率情報を取得する取得手順と、
コンテンツデータの識別情報の一覧が表示された表示領域において前記識別情報の選択を受け付ける受付手順と、
選択された前記識別情報と対応するコンテンツデータを、横の長さと縦の長さの比率が前記比率情報と一致する表示領域内に表示させるプレビュー処理手順と、を有することを特徴とする表示制御方法。
【発明の詳細な説明】
【技術分野】
【０００１】
本発明は、コンテンツデータを表示させる表示システム、情報端末、表示制御プログラム及び表示制御方法に関する。
【背景技術】
【０００２】
従来では、情報端末から他の装置へコンテンツデータを送信する際に、情報端末において送信対象のコンテンツデータのプレビュー画像を表示させる機能が広く知られている。
【０００３】
具体的には例えば、印刷対象であるコンテンツデータの印刷結果をプレビューするための映像を、印刷結果が付される面に表示させる技術が知られている（特許文献１）。
【発明の概要】
【発明が解決しようとする課題】
【０００４】
ところで、従来では、情報端末から表示装置に画像データを提供し、表示装置で提供された画像データに基づく画像を投影し、表示させるシステムが知られている。
【０００５】
このシステムにおけるプレビュー画像は、コンテンツデータを情報端末の画面上に表示させるものであり、表示装置により投影された後のコンテンツデータのプレビュー画像は表示されない。このため、表示装置においてコンテンツデータが投影されたとき、プレビュー画像とイメージが異なる表示となる虞がある。
【０００６】
本発明は、上記事情を鑑みてこれを解決すべく成されたものであり、表示装置により表示されたコンテンツデータのプレビュー画像を表示させることが可能な表示システム、情報端末、表示制御プログラム及び表示制御方法を提供することを目的としている。
【課題を解決するための手段】
【０００７】
本発明は、上記目的を達成すべく以下の如き構成を採用した。
【０００８】
本発明は、表示装置と、前記表示装置と通信可能な情報端末と、を含む表示システムであって、前記情報端末は、前記表示装置における表示可能領域の横の長さと縦の長さの比率を示す比率情報を取得する取得部と、コンテンツデータの識別情報の一覧が表示された表示領域において前記識別情報の選択を受け付ける受付部と、選択された前記識別情報と対応するコンテンツデータを、横の長さと縦の長さの比率が前記比率情報と一致する表示領域内に表示させるプレビュー処理部と、を有する。
【発明の効果】
【０００９】
本発明によれば、表示装置により表示されたコンテンツデータのプレビュー画像を表示させることができる。
【図面の簡単な説明】
【００１０】
【図１】第一の実施形態の表示システムのシステム構成の一例を示す図である。
【図２】第一の実施形態の表示システムの利用シーンの一例を説明する図である。
【図３】第一の実施形態の表示システムが有する各装置のハードウェア構成の一例を示す図である。
【図４】第一の実施形態の表示システムが有する各装置の機能構成の一例を示す図である。
【図５】第一の実施形態の表示システムの動作を説明するシーケンス図である。
【図６】プレビュー処理部によるプレビュー画像の表示の処理を説明するフローチャートである。
【図７】プレビュー画像の表示の例を説明する第一の図である。
【図８】プレビュー画像の表示の例を説明する第二の図である。
【図９】プレビュー画像の表示の例を説明する第三の図である。
【図１０】プレビュー画像の表示の例を説明する第四の図である。
【図１１】プレビュー画像の表示の例を説明する第五の図である。
【図１２】コンテンツデータの縮小処理を説明する図である。
【図１３】第二の実施形態の表示システムの構成を説明する図である。
【発明を実施するための形態】
【００１１】
以下に説明する実施形態では、情報端末は、表示装置における表示可能領域の横の長さと縦の長さの比率を示す情報を取得し、この比率に基づき選択されたコンテンツデータのプレビュー画面を生成して表示させる。
（第一の実施形態）
以下に図面を参照して本発明の第一の実施形態について説明する。図１は、第一の実施形態の表示システムのシステム構成の一例を示す図である。
【００１２】
本実施例の表示システム１００は、情報端末２００と表示装置３００とを有し、情報端末２００と表示装置３００とはネットワーク等のデータ伝送路Ｎを介して接続される。
【００１３】
本実施例の情報端末２００は、例えば３Ｇ（3rd Generation）,ＬＴＥ（Long Term Evolution），４Ｇ（4th Generation）の規格に準ずる通信方式による通信を行っても良い。また本実施形態の情報端末２００は、例えばＺｉｇＢｅｅやＢｌｕｅｔｏｏｔｈ（商標登録）等に準ずる通信方式よる通信を行っても良い。
【００１４】
本実施形態の情報端末２００は、例えばスマートフォンや携帯電話等の無線通信端末であっても良い。また本実施形態の情報端末２００は、例えばタブレットＰＣ（Personal Computer）やノート型ＰＣであっても良い。本実施形態の情報端末２００は、表示装置３００と通信を行えるものであれば良い。
【００１５】
本実施形態の情報端末２００は、表示制御プログラム２１０がインストールされている。本実施形態の情報端末２００は、表示制御プログラム２１０を実行して表示装置３００に表示させるコンテンツデータを後述する再生制御情報と共に表示装置３００へ送信する。
【００１６】
本実施形態の表示装置３００は、再生プログラム３１０がインストールされている。本実施形態の表示装置３００は、再生プログラム３１０を実行することで、情報端末２００から送信されたコンテンツデータを再生制御情報に基づき表示させる。
【００１７】
本実施形態の表示装置３００は、情報端末２００から送信された再生制御情報に基づきコンテンツデータを表示させることが可能な表示機能を有していれば良い。具体的には本実施例の表示装置３００は、例えばプロジェクタやディスプレイ等である。
【００１８】
以下の本実施形態の説明では、表示装置３００が再生制御情報にしたがってコンテンツデータを表示させることを、コンテンツデータを再生する、と表現する。
【００１９】
また本実施形態のコンテンツデータとは、例えば画像データや動画データ等である。コンテンツデータとなる画像データは、例えば１枚の画像の画像データであっても良いし、複数枚の画像の画像データであっても良い。本実施形態のコンテンツデータは、表示装置３００に表示させることが可能なデータであれば良い。
【００２０】
以下の本実施形態の説明では、情報端末２００から表示装置３００へ送信され、表示装置３００で再生されるコンテンツデータを再生コンテンツデータと呼ぶ。情報端末２００から表示装置３００へ送信されるコンテンツデータとは、情報端末２００においてユーザにより選択されたコンテンツデータである。また以下の本実施形態の説明では、選択されたコンテンツデータ以外の例えば所定の記憶領域に格納されているコンテンツデータを単にコンテンツデータと呼ぶ。
【００２１】
以下に図２を参照して本実施形態の表示システム１００の利用シーンについて説明する。図２は、第一の実施形態の表示システムの利用シーンの一例を説明する図である。
【００２２】
図２の例では、情報端末２００をスマートフォン又はタブレットＰＣとし、表示装置３００をプロジェクタ３０１とスクリーン３０２を含む構成とし、表示システム１００を例えば電子看板（Digital Signage）に用いた場合を示している。
【００２３】
本実施形態の情報端末２００は、ユーザにより再生コンテンツデータの再生の仕方が設定されると、この設定に基づき再生コンテンツデータの再生制御情報を生成する。そして情報端末２００は、再生コンテンツデータと再生制御情報とをプロジェクタ３０１へ送信する。プロジェクタ３０１は、受信した再生コンテンツデータを記憶部に保存し、再生制御情報にしたがって再生コンテンツデータを再生する。
【００２４】
本実施形態の表示システム１００では、ユーザは、１度再生コンテンツデータと再生制御情報を表示装置３００に送信すれば、所望の設定通りに再生コンテンツデータを継続して再生することができる。
【００２５】
すなわち本実施形態の表示システム１００を電子看板等に適用した場合、自動的にユーザが望むようにコンテンツデータが再生されるため、ユーザはコンテンツデータの表示順や表示の切り替え等をその都度設定する手間を省くことができる。
【００２６】
次に図３を参照して本実施形態の表示システム１００の有する各装置のハードウェア構成を説明する。図３は、第一の実施形態の表示システムが有する各装置のハードウェア構成の一例を示す図である。
【００２７】
本実施形態の情報端末２００は、それぞれバスＢ１で相互に接続されているＣＰＵ（Central Processing Unit）２１、記憶部２２、入力部２３、外部インターフェイス部２４、ネットワーク制御部２５、出力部２６、ドライバ２７を有する。
【００２８】
ＣＰＵ２１は、情報端末２００の各種動作を制御する。記憶部２２は、情報端末２００の動作や演算に係る各種情報や、情報端末２００で実行される各種プログラム等が格納される。入力部２３は、各種信号や情報を入力するために用いられる。入力部２３は、例えばタッチパネル等の表示機能を有する表示操作装置であっても良い。また本実施形態の入力部２３は、例えばポインティングデバイスやキーボード等であっても良い。
【００２９】
本実施形態の外部インターフェイス部２４は、例えばＵＳＢ（Universal Serial Bus）メモリスロットやＮＦＣ（Near field communication）等である。ネットワーク制御部２５は、モデム，ＬＡＮカード等を含み、ネットワークに接続する為に用いられる。
出力部２６は、情報端末２００から各種情報報の出力するために用いられる。本実施形態の出力部２６は、例えばディスプレイ等であっても良いし、外部装置へ各種データを送信する送信部であっても良い。
【００３０】
本実施形態の表示制御プログラム２１０は、情報端末２００を制御する各種プログラムの少なくとも一部である。表示制御プログラム２１０は例えば記録媒体２８の配布やネットワークからのダウンロードなどによって提供される。表示制御プログラム２１０を記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３１】
また表示制御プログラム２１０を記録した記録媒体２８がドライバ２７にセットされると、表示制御プログラム２１０は記録媒体２８からドライバ２７を介して記憶部２２にインストールされる。ネットワークからダウンロードされた表示制御プログラム２１０は、ネットワーク制御部２５を介して記憶部２２にインストールされる。
【００３２】
記憶部２２は、インストールされた表示制御プログラム２１０を格納すると共に、必要なファイル，データ等を格納する。ＣＰＵ２１は記憶部２２に格納された表示制御プログラム２１０に従って、後述するような各種処理を実現している。
【００３３】
本実施形態の表示装置３００は、それぞれバスＢ２で相互に接続されているＣＰＵ３１、記憶部３２、入力部３３、外部インターフェイス部３４、ネットワーク制御部３５、表示部３６、ドライバ２７を有する。
【００３４】
ＣＰＵ３１は、表示装置３００の各種動作を制御する。記憶部３２は、表示装置３００の動作や演算に係る各種情報や、表示装置３００で実行される各種プログラム、表示装置３００で再生されるコンテンツデータ等が格納される。入力部３３は、各種信号や情報を入力するために用いられる。入力部３３は、例えば表示装置３００を操作する操作部材等である。
【００３５】
本実施形態の外部インターフェイス部３４は、例えばＵＳＢ（Universal Serial Bus）メモリスロットやＮＦＣ（Near field communication）等である。ネットワーク制御部３５は、表示装置３００のネットワークへの接続を制御する。表示部３６は、表示装置３００が表示指示を受けたコンテンツデータを表示させる。
【００３６】
本実施形態の再生プログラム３１０は、表示装置３００を制御する各種プログラムの少なくとも一部である。再生プログラム３１０は例えば記録媒体３８の配布やネットワークからのダウンロードなどによって提供される。また再生プログラム３１０を記録した記録媒体３８がドライバ３７にセットされると、再生プログラム３１０は記録媒体３８からドライバ３７を介して記憶部３２にインストールされる。ネットワークからダウンロードされた再生プログラム３１０は、ネットワーク制御部３５を介して記憶部３２にインストールされる。
【００３７】
記憶部３２は、インストールされた再生プログラム３１０を格納すると共に、必要なファイル，データ等を格納する。ＣＰＵ３１は記憶部３２に格納された再生プログラム３１０に従って、後述するような各種処理を実現している。
【００３８】
次に、図４を参照して本実施形態の表示システム１００が有する各装置の機能構成について説明する。図４は、第一の実施形態の表示システムが有する各装置の機能構成の一例を示す図である。
【００３９】
本実施形態の情報端末２００は、記憶部２２内に設けられた所定の記憶領域２２０を有する。記憶領域２２０には、例えばコンテンツデータ２２１と、設定項目情報２２２とが格納されている。コンテンツデータ２２１は、例えば表示装置３００へ表示することが可能なデータであり、例えば画像データや動画データ等である。本実施形態の設定項目情報２２２は、再生制御情報においてユーザにより設定される項目を示す情報である。
【００４０】
本実施形態の情報端末２００は、表示制御部２１１、入力受付部２１２、比率情報取得部２１３、プレビュー処理部２１４、再生制御情報生成部２１５、送信部２１６を有する。
【００４１】
本実施形態の表示制御部２１１は、情報端末２００の出力部２６であるディスプレイ等に、コンテンツデータ２２１の識別情報の一覧画面や、設定項目情報２２２に含まれる項目の値を設定させる設定画面等を表示させる。
【００４２】
本実施形態の入力受付部２１２は、コンテンツデータ２２１の識別情報の一覧を表示させた一覧画面において、コンテンツデータ２２１の識別情報の選択を受け付ける。コンテンツデータ２２１の識別情報とは、コンテンツデータ２２１と対応した情報であり、具体的には例えばコンテンツデータ２２１のサムネイルやファイル名等である。本実施形態では、情報端末２００の一覧画面において選択されて送信要求が行われたコンテンツデータ２２１が、再生コンテンツデータ３３１として表示装置３００へ送信される。
【００４３】
また本実施形態の入力受付部２１２は、再生制御情報に含まれる各種の項目の値を設定させる設定画面において、項目の値の入力を受け付ける。
【００４４】
本実施形態の比率情報取得部２１３は、表示装置３００から比率情報を取得する。
【００４５】
本実施形態の比率情報は、表示装置３００における投影領域の横の長さと縦の長さの比率（アスペクト比）を示す情報である。表示装置３００の投影領域とは、表示装置３００が画像データを投影することにより、画像を表示させることが可能な表示可能領域であり、表示装置３００の仕様等により決められている。例えば表示装置３００が一般的なディスプレイ等の場合においては、ディスプレイの画面の大きさが表示可能領域となる。
【００４６】
本実施形態の比率情報は、表示可能領域の横の長さと縦の長さの比率を示すものであれば、どのような値で示されていても良い。尚、本実施形態の比率情報は、一度表示装置３００から取得された後は、例えば記憶領域２２０に格納されても良い。
【００４７】
本実施形態のプレビュー処理部２１４は、比率情報に基づき、プレビュー要求を受けたコンテンツデータ２２１のプレビュー画像を表示させる。具体的には本実施形態のプレビュー処理部２１４は、プレビュー要求を受けたコンテンツデータ２２１の横の長さと縦の長さの比率と、比率情報とを同じにする処理を行う。プレビュー処理部２１４の処理の詳細は後述する。
【００４８】
本実施形態の再生制御情報生成部２１５は、コンテンツデータ２２１に含まれる情報に基づき、再生制御情報３３２を生成する。再生制御情報３３２とは、例えば再生コンテンツデータ３３１に含まれるコンテンツデータ２２１の再生の順番や再生時間、表示の切り替え方等に関する情報が含まれる。
【００４９】
本実施形態では、再生制御情報３３２に含まれる所定の項目の値は、設定画面においてユーザにより設定された値となる。所定の項目とは、例えばコンテンツデータ２２１の再生の順番や再生時間、表示の切り替え方であっても良い。
【００５０】
本実施形態の再生制御情報生成部２１５は、コンテンツデータ２２１が選択された際に、表示制御部２１１により上述した所定の項目の設定画面を表示させ、入力された項目の値に基づき再生制御情報３３２を生成しても良い。また本実施形態の再生制御情報生成部２１５は、任意のタイミングで設定された所定の項目の値を保持しておき、コンテンツデータ２２１が選択された際に、保持していた項目の値を用いて再生制御情報３３２を生成しても良い。本実施形態の再生制御情報３３２は、再生コンテンツデータ３３１と対応した情報として表示装置３００へ送信される。
【００５１】
送信部２１６は、再生制御情報と再生コンテンツデータ３３１とを表示装置３００へ送信する。
【００５２】
尚本実施形態の情報端末２００は、コンテンツデータ２２１が記憶部２２内に格納されているものとしたが、これに限定されない。コンテンツデータ２２１は、例えば情報端末２００が読取可能な可搬型の記録媒体に格納されていても良いし、情報端末２００と通信が可能な外部装置に格納されていても良い。
【００５３】
本実施形態の表示装置３００は、保存制御部３１１、検証部３１２、通知部３１３、比率情報提供部３１４を有する。また本実施形態の表示装置３００は、表示部３６に対する表示を制御する表示制御部３２０を有する。
【００５４】
さらに本実施形態の表示装置３００は、記憶領域３３０を有する。本実施形態の記憶領域３３０には、情報端末２００から送信された再生コンテンツデータ３３１と、再生制御情報３３２と、表示装置３００における比率情報３３３と、が格納される。尚本実施形態の記憶領域３３０は、例えば表示装置３００の有する記憶部３２に設けられても良いし、表示装置３００が読取可能な可搬型の記録媒体に設けられても良い。また記憶領域３３０は、表示装置３００と通信が可能な外部装置等に設けられても良い。
【００５５】
本実施形態の保存制御部３１１は、情報端末２００から受信した再生コンテンツデータ３３１と再生制御情報３３２とを記憶領域３３０に格納する。また本実施形態の保存制御部３１１は、情報端末２００から再生コンテンツデータ３３１の再生指示を受けると、再生制御情報３３２に含まれる各項目の値を表示装置３００に設定する。
【００５６】
検証部３１２は、再生制御情報３３２に基づき、再生コンテンツデータ３３１が表示装置３００において再生可能か否かを検証する。検証部３１２の処理の詳細は後述する。通知部３１３は、検証結果を情報端末２００に通知する。
【００５７】
比率情報提供部３１４は、情報端末２００からの比率情報の取得要求を受けて、記憶領域３３０から比率情報３３３を取得し、情報端末２００へ送信する。
【００５８】
次に図５を参照して本実施形態の表示システム１００の動作を説明する。図５は、第一の実施形態の表示システムの動作を説明するシーケンス図である。
【００５９】
本実施形態の表示システム１００において、ユーザにより情報端末２００の表示制御プログラム２１０が起動されると（ステップＳ５０１）、比率情報取得部２１３は表示装置３００に対し、表示装置３００の比率情報の取得要求を行う（ステップＳ５０２）。表示装置３００は、この要求を受けて、自身の比率情報を情報端末２００へ送信する（ステップＳ５０３）。本実施形態の比率情報は、例えば表示装置３００の比率情報を含む表示装置３００のＳＳＩＤ（Service Set Identifier）等として情報端末２００に提供されても良い。この場合情報端末２００は、表示装置３００のＳＳＩＤに含まれる比率情報を取得すれば良い。
【００６０】
続いて情報端末２００は、ユーザからのコンテンツデータ２２１の一覧表示要求を受けて、表示制御部２１１により、コンテンツデータ２２１の識別情報の一覧画面をコンテンツデータ２２１の一覧として表示させる（ステップＳ５０４）。尚一覧画面の詳細は後述する。
【００６１】
続いて情報端末２００は、入力受付部２１２により、一覧画面におけるコンテンツデータ２２１の識別情報の選択を受け付ける（ステップＳ５０５）。
【００６２】
続いて情報端末２００は、選択されたコンテンツデータ２２１のプレピュー画像の表示要求を受けると（ステップＳ５０６）、プレビュー処理部２１４により、プレビュー画像の表示要求を受けたコンテンツデータ２２１を読み込む（ステップＳ５０７）。続いてプレビュー処理部２１４は、比率情報に基づき、読み込んだコンテンツデータ２２１のプレビュー画像を表示させる（ステップＳ５０８）。本実施形態のプレビュー処理部２１４によるステップＳ５０８の処理の詳細は後述する。
【００６３】
続いて情報端末２００は、再生制御情報３３２の所定の項目の値の設定画面を表示させ、入力された各項目の値を入力受付部２１２により受け付ける（ステップＳ５０９）。入力された各項目の値は、該当する項目と対応付けられて保持される。
【００６４】
続いて情報端末２００は、ユーザにより、再生コンテンツデータ３３１の送信要求を受け付けると（ステップＳ５１０）、再生制御情報生成部２１５により、再生制御情報３３２を生成する（ステップＳ５１１）。具体的には本実施形態の再生制御情報生成部２１５は、送信要求を受けると、保持していた項目の値を所定のフォーマットに代入して再生制御情報３３２を生成する。
【００６５】
続いて情報端末２００は、送信部２１６により、再生制御情報３３２を表示装置３００へ送信する（ステップＳ５１２）。
【００６６】
表示装置３００は、情報端末２００から再生制御情報３３２を受信すると、保存制御部３１１により再生制御情報３３２を記憶領域３３０に格納する（ステップＳ５１３）。
【００６７】
続いて情報端末２００は、送信部２１６により、送信対象となるコンテンツデータ２２１を読み出す（ステップＳ５１４）。続いて送信部２１６は、読み出した送信対象となるコンテンツデータ２２１を再生コンテンツデータ３３１として表示装置３００へ送信する（ステップＳ５１５）。表示装置３００は、保存制御部３１１により、再生コンテンツデータ３３１を記憶領域３３０に格納する（ステップＳ５１６）。
【００６８】
本実施形態では、例えば記憶領域３３０内に情報端末２００と対応したフォルダ等が設けられており、再生コンテンツデータ３３１と再生制御情報３３２とはこのフォルダに格納されても良い。
【００６９】
続いて表示装置３００は、通知部３１３により、記憶領域３３０への再生コンテンツデータ３３１の格納（アップロード）が完了したことを情報端末２００へ通知する（ステップＳ５１７）。
【００７０】
情報端末２００は、この通知を受けると、表示装置３００に対して再生コンテンツデータ３３１の再生指示を送信する（ステップＳ５１８）。本実施形態の表示装置３００は、情報端末２００から再生指示を受信すると、再生制御情報３３２にしたがった再生コンテンツデータ３３１の再生が実行されるように、再生制御情報３３２に含まれる各項目の値を自身へ設定する。
【００７１】
また表示装置３００は、再生指示を受けると、検証部３１２により再生制御情報３３２にしたがった再生コンテンツデータ３３１の再生が行えるか否かの検証を行う（ステップＳ５１９）。
【００７２】
本実施形態の通知部３１３は、検証部３１２による検証結果を情報端末２００へ通知する（ステップＳ５２０）。具体的には本実施形態の通知部３１３は、例えば再生コンテンツデータ３３１が再生可能であることが検証された場合、通信が成功したことを情報端末２００へ通知しても良い。通知部３１３からの通知を受けると、情報端末２００は、通知結果を表示させる（ステップＳ５２１）。
【００７３】
また通知部３１３は、再生コンテンツデータ３３１の再生が不可能である場合、通信に失敗したことを情報端末２００へ通知する。再生が不可能である場合とは、例えば再生制御情報３３２が表示装置３００では読み取れないフォーマットであった場合、再生制御情報３３２にコンテンツデータ２２１の格納場所を示す情報が含まれていない場合等である。
【００７４】
本実施形態では、例えば通信に失敗した場合に、再生コンテンツデータ３３１の再送を促すメッセージを情報端末２００に表示させても良い。
【００７５】
ステップＳ５２５に続いて表示装置３００は、再生コンテンツデータ３３１を再生制御情報３３２にしたがって再生する（ステップＳ５２２）。
【００７６】
尚、図５の例では、表示制御プログラム２１０が起動した際に、表示装置３００へ比率情報の取得要求を行うものとしたが、これに限定されない。本実施形態の比率情報取得部２１３は、例えばコンテンツデータ２２１の識別情報の一覧画面が表示されたとき、表示装置３００に対する比率情報の取得要求を行っても良い。また比率情報取得部２１３は、例えばプレビュー画像の表示要求がなされたとき、表示装置３００に対する比率情報の取得要求を行っても良い。また、比率情報取得部２１３は、情報端末２００と表示装置３００との接続が確認されたとき、表示装置３００に対して比率情報の取得要求を行っても良い。さらに本実施形態の比率情報取得部２１３は、例えば情報端末２００に予め格納されており、比率情報取得部２１３は、表示制御プログラム２１０が起動した際に、格納された比率情報を読み出しても良い。
【００７７】
以下に図６を参照して、本実施形態のプレビュー処理部２１４による処理を説明する。図６は、プレビュー処理部によるプレビュー画像の表示の処理を説明するフローチャートである。
【００７８】
本実施形態のプレビュー処理部２１４は、プレビュー画像の表示要求を受け付けると（ステップＳ６０１）、比率情報取得部２１３が取得した比率情報を読み込む（ステップＳ６０２）。
【００７９】
続いてプレビュー処理部２１４は、情報端末２００の画面の大きさを示すサイズ情報を取得する（ステップＳ６０３）。本実施形態のサイズ情報とは、例えば情報端末２００の有するタッチパネルの横の長さと縦の長さを示す情報である。
【００８０】
続いてプレビュー処理部２１４は、比率情報とサイズ情報とに基づき、情報端末２００の画面において、横の長さと縦の長さの比率が比率情報と一致する領域を表示させる（ステップＳ６０４）。ここで表示される領域は、プレビュー画像を表示するための領域であり、以下の説明ではプレビュー表示領域と呼ぶ。尚、プレビュー処理部２１４は、このとき表示させたプレビュー表示領域の横の長さと縦の長さを示すプレビュー表示領域のサイズ情報を保持していても良い。
【００８１】
次にプレビュー処理部２１４は、プレビュー画像の表示要求がなされたコンテンツデータを取得する（ステップＳ６０５）。続いてプレビュー処理部２１４は、ステップＳ６０４で表示したプレビュー表示領域に取得したコンテンツデータが入るように、コンテンツデータのリサイズを行う（ステップＳ６０６）。次にプレビュー処理部２１４は、リサイズしたコンテンツデータをプレビュー表示領域の中に表示させ（ステップＳ６０７）、プレビュー画像の表示の処理を終了する。
【００８２】
尚、図６の例では、コンテンツデータ２２１のリサイズを行う例として説明したが、リサイズは不要であれば行わなくても良い。リサイズが不要に場合とは、例えばプレビュー表示領域のサイズとコンテンツデータ２２１のサイズとが一致している場合等である。
【００８３】
以下に図７ないし図１１を参照して、情報端末２００におけるプレビュー画像の表示の例について説明する。
【００８４】
図７は、プレビュー画像の表示の例を説明する第一の図である。図７は、比率情報により示される表示装置３００により投影される画像の横の長さ対縦の長さが１６対９であった場合の例を示している。
【００８５】
図７に示す画面７１には、比率情報と横の長さと縦の長さの比率が等しいプレビュー表示領域７２が表示されており、プレビュー表示領域７２の中にリサイズされたコンテンツデータ７３が表示されている。図７の例では、コンテンツデータ７３の横の長さと縦の長さが、プレビュー表示領域７２の横の長さと縦の長さと一致するようにリサイズを行った。
【００８６】
尚、図７の例では、コンテンツデータ２２１がリサイズされてプレビュー表示領域７２内に表示されるものとして説明したが、これに限定されない。例えばコンテンツデータ２２１がプレビュー表示領域７２内の表示可能である場合には、リサイズを行わなくても良い。
【００８７】
図８は、プレビュー画像の表示の例を説明する第二の図である。図８は、比率情報により示される表示装置３００により投影される画像の横の長さ対縦の長さが１６対９であり、コンテンツデータの横の長さ対縦の長さの比率が４対３である場合を示している。
【００８８】
図８に示す画面８１では、比率情報に基づき表示されたプレビュー表示領域７２に、リサイズしたコンテンツデータ８２が表示されている。コンテンツデータ８２は、例えばコンテンツデータ２２１をプレビュー表示領域７２に表示できるサイズに縮小したものであっても良い。縮小処理の詳細は、後述する。本実施形態では、コンテンツデータ２２１をリサイズする際に、コンテンツデータ２２１の横の長さ対縦の長さの比を維持してリサイズを行うことが好ましい。
【００８９】
図９は、プレビュー画像の表示の例を説明する第三の図である。図９は、比率情報により示される表示装置３００により投影される画像の横の長さ対縦の長さが１６対９であり、コンテンツデータの横の長さ対縦の長さの比率が９対１６である場合を示している。
【００９０】
図９に示す画面９１では、比率情報に基づき表示されたプレビュー表示領域７２に、横の長さ対縦の長さの比率が９対１６であり、且つプレビュー表示領域７２に表示されるようにリサイズしたコンテンツデータ９２が表示されている。
【００９１】
図１０は、プレビュー画像の表示の例を説明する第四の図である。図１０は、比率情報により示される表示装置３００により投影される画像の横の長さ対縦の長さが１６対９であり、コンテンツデータの横の長さ対縦の長さの比率が３対４である場合を示している。
【００９２】
図１０に示す画面１０１では、比率情報に基づき表示されたプレビュー表示領域７２に、横の長さ対縦の長さの比率が３対４であり、且つプレビュー表示領域７２に表示されるようにリサイズしたコンテンツデータ１０２が表示されている。
【００９３】
図１１は、プレビュー画像の表示の例を説明する第五の図である。図１１は、比率情報により示される表示装置３００により投影される画像の横の長さ対縦の長さが９対１６であり、コンテンツデータの横の長さ対縦の長さの比率が１６対９である場合を示している。
【００９４】
図１１に示す画面１１１では、比率情報に基づき表示されたプレビュー表示領域１１２に、横の長さ対縦の長さの比率が１６対９であり、且つプレビュー表示領域１１２に表示されるようにリサイズしたコンテンツデータ１１３が表示されている。
【００９５】
以下にコンテンツデータの縮小処理について説明する。
【００９６】
図１２は、コンテンツデータの縮小処理を説明する図である。
【００９７】
図１２（Ａ）は、表示装置３００に表示されたプレビュー表示領域１２０である。図１２（Ｂ）は、プレビュー表示領域１２０に表示させるコンテンツデータ２２１である。図１２（Ｃ）は、縮小処理が施されたコンテンツデータ２２１′が表示されたプレビュー表示領域１２０である。
【００９８】
プレビュー表示領域１２０の短辺を１２１、長辺を１２２とし、コンテンツデータ２２１の短辺を１２３、長辺を１２４とした場合、プレビュー処理部２１４は、コンテンツデータ２２１の長辺１２４がプレビュー表示領域１２０の短辺１２１に収まるようにコンテンツデータ２２１の縮小処理を行う。
【００９９】
このときコンテンツデータ２２１′の長辺１２４ａは、コンテンツデータ２２１の長辺７４を縮小率（プレビュー表示領域１２０の短辺１２１の画素数／コンテンツデータ２２１の長辺１２４の画素数）で縮小したものとなる。またコンテンツデータ２２１′の短辺１２３ａは、アスペクト比を保つために、コンテンツデータ２２１の短辺１２３を長辺１２４と同様の縮小率で縮小したものとなる。
【０１００】
以上のように本実施形態では、情報端末２００において、表示装置３００により投影される画像の比率情報に基づくプレビュー表示領域を表示させ、このプレビュー表示領域に収まるように表示装置３００へ送信されるコンテンツデータ２２１をリサイズし表示させる。したがって本実施形態によれば、表示装置により投影されたコンテンツデータのプレビュー画像を表示させることができる。
【０１０１】
（第二の実施形態）
以下に図面を参照して本発明の第二の実施形態について説明する。本発明の第二の実施形態では、表示装置の比率情報が外部のサーバ装置に格納されている点が第一の実施形態と異なる。よって以下の第二の実施形態の説明では、第一の実施形態との相違点についてのみ説明し、第一の実施形態と同様の機能構成を有するものには第一の実施形態の説明で用いた符号と同様の符号を付与し、その説明を省略する。
【０１０２】
図１３は、第二の実施形態の表示システムの構成を説明する図である。
【０１０３】
本実施形態の表示システム１００Ａは、情報端末２００と、表示装置３００Ａと、機種情報管理サーバ４００とを有する。
【０１０４】
本実施形態では、表示装置３００Ａは比率情報３３３を有しておらず、比率情報３３３は機種情報管理サーバ４００に格納されている。
【０１０５】
本実施形態の機種情報管理サーバ４００は、ネットワーク上に存在しており、情報端末２００からの比率情報の取得要求に応じて比率情報３３３を情報端末２００に提供する。
【０１０６】
尚、機種情報管理サーバ４００は、例えば比率情報だけでなく、表示装置３００Ａの仕様に係る各種の情報を含む機種情報が格納されていても良い。本実施形態の比率情報３３３は、この機種情報に含まれていても良い。
【０１０７】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１０８】
１００、１００Ａ  表示システム
２００  情報端末
２１０  表示制御プログラム
２２０、３３０  記憶領域
２１１  表示制御部
２１２  入力受付部
２１３  比率情報取得部
２１４  プレビュー処理部
２１５  再生制御情報生成部
２１６  送信部
２２１  コンテンツデータ
２２２  設定項目情報
３００  表示装置
３１０  再生プログラム
３２０  表示制御部
３３１  再生コンテンツデータ
３３２  再生制御情報
３３３  比率情報
４００  機器情報管理サーバ
【先行技術文献】
【特許文献】
【０１０９】
【特許文献１】特開２００４−１３３９０５号公報
【図１】
2015127849.tif 000003
【図２】
2015127849.tif 000004
【図３】
2015127849.tif 000005
【図４】
2015127849.tif 000006
【図５】
2015127849.tif 000007
【図６】
2015127849.tif 000008
【図７】
2015127849.tif 000009
【図８】
2015127849.tif 000010
【図９】
2015127849.tif 000011
【図１０】
2015127849.tif 000012
【図１１】
2015127849.tif 000013
【図１２】
2015127849.tif 000014
【図１３】
2015127849.tif 000015